(57)【要約】【課題】【解決手段】眼鏡であって、レンズフレーム（１０）はアイウェア・プラットフォーム（１５）に、磁石、クリップ、スナップ連結、またはその他の取着デバイスなどの色々な取着デバイスを使用して着脱自在に取着することによって、前記レンズフレームが前記アイウェア・プラットフォームから不意に外れないような実効的な抗力を提供する。このアイウェアによって、ユーザーは迅速且つ簡単にレンズまたはサングラスを交換することができる。
2005508524.tif 000002
【特許請求の範囲】
【請求項１】
眼鏡であって、
アイウェア・プラットフォーム及びレンズフレームを有し、
このアイウェア・プラットフォームは、ユーザーの耳に載せることが可能な２つのこめかみ部延長部とこの各こめかみ部延長部に回転可能に連結しているブリッジ部とを含み、このブリッジ部はユーザーの鼻の上に載ることで前記アイウェア・プラットフォームをユーザーに着用可能にするものであり、
前記レンズフレームは、前記フレーム内に取り付けられるレンズを有し、
前記レンズフレームは、アイウェア・プラットフォームを着用しているユーザーが前記レンズを通して見ることができるように前記アイウェア・プラットフォームに磁気的に取付可能であり、これによって、ユーザーはユーザーの必要に応じて眼鏡のレンズを交換できるようになっている
ことを特徴とする眼鏡。
【請求項２】
請求項１の眼鏡において、前記アイウェア・プラットフォームはプラットフォーム接触表面を含み、且つ前記レンズフレームはレンズフレーム接触表面を含むものであり、前記プラットフォーム及び前記レンズフレームの接触表面は互いに連結することが可能である。
【請求項３】
請求項２の眼鏡において、前記レンズフレームは、前記の接触表面間の接合部分に位置する少なくとも１つの磁石によって前記アイウェア・プラットフォームに着脱自在に連結されるものである。
【請求項４】
請求項２の眼鏡において、前記レンズフレームは、前記の接触表面間の接合部分に位置する少なくとも１つのクリップ取着によって前記アイウェア・プラットフォームに着脱自在に連結されるものである。
【請求項５】
請求項１の眼鏡において、前記アイウェア・プラットフォームは、さらに、前記アイウェア・プラットフォームの中心点の近くに位置する少なくとも１つの鼻あてを有するものである。
【請求項６】
眼鏡であって、
２つのレンズ及びアイウェア・プラットフォームを有し、
このアイウェア・プラットフォームは、ユーザーの耳に載せることが可能な２つのこめかみ部延長部と、この各こめかみ部延長部に回転可能に連結しているブリッジ部とを含み、このブリッジ部はユーザーの鼻の上に載ることで前記アイウェア・プラットフォームをユーザーに着用可能にするものであり、
前記２つのレンズは、アイウェア・プラットフォームを着用しているユーザーが前記レンズを通して見ることができるように前記アイウェア・プラットフォームに磁気的に取付可能であり、これによって、ユーザーはユーザーの必要に応じて眼鏡のレンズを交換できるようになっている
ことを特徴とする眼鏡。
【請求項７】
請求項６の眼鏡において、前記２つのレンズは前記アイウェア・プラットフォームに、少なくとも１つのクリップ取着で着脱自在に連結されているものである。
【請求項８】
請求項６の眼鏡において、前記アイウェア・プラットフォームは、さらに、少なくとも１つの鼻あてを有し、この前記鼻あては前記２つのレンズの間に位置するものである。
【請求項９】
請求項６の眼鏡機器において、前記２つのレンズはそれぞれ付属部を有し、前記アイウェア・プラットフォームは２つのプラットフォーム・アームを有する。
【請求項１０】
請求項９のアイウェア装置において、前記付属部は、さらに、付属部ソケットを有し、
この付属部ソケットは、第１付属部ソケット表面と第２付属部ソケット表面とを有し、
各前記プラットフォーム・アームはさらにこめかみ部ソケットを有し、
このこめかみ部ソケットは、第１こめかみ部ソケット表面と第２こめかみ部ソケット表面とを有するものである。
【請求項１１】
請求項１０のアイウェア装置において、
前記こめかみ部ソケットは、前記少なくとも１つの磁石を有し、
前記付属部ソケットは、前記少なくとも１つの磁石を有し、
前記こめかみ部ソケット中の前記の少なくとも１つの磁石は、前記少なくとも１つの磁石の軸沿いの実効磁気力が前記２つのレンズに垂直方向で平行になるように設置され、
前記こめかみ部ソケット中の前記少なくとも１つの磁石は、前記付属部ソケット中の前記少なくとも１つの磁石と係合及び結合して、前記２つのレンズが前記アイウェア・プラットフォームから不意に外れないような実効的な抗力を提供するようになっている。
【請求項１２】
請求項１０のアイウェア装置において、前記第１付属部ソケット表面は前記第２こめかみ部ソケット表面に接触し、前記磁石が整列することによって、前記２つのレンズが不意に前記アイウェア・プラットフォームから外れないような実効的な抗力を提供するようになっている。
【請求項１３】
請求項１０のアイウェア装置において、前記第２付属部ソケット表面は前記第１こめかみ部ソケット表面に接触し、前記磁石が整列することによって、前記２つのレンズが不意に前記アイウェア・プラットフォームから外れないような実効的な抗力を提供するようになっている。
【請求項１４】
請求項７のアイウェア装置において、前記レンズコネクターはターミナル・レンズコネクター端部を有し、且つ前記２つのレンズはそれぞれ第１及び第２のレンズ表面を有し、
前記レンズコネクター端部は第２レンズ表面に接触し、前記第１レンズ表面にある磁石と連結し、これによって、前記の第１レンズ表面の磁石は、前記少なくとも１つのアイウェア・プラットフォーム取着表面に連結及び磁気的に連結するようになっている。
【請求項１５】
請求項１４のアイウェア装置において、前記付属部は付属部連結端部を有し、前記レンズの第２表面と接触するようになっている。
【請求項１６】
請求項１５のアイウェア装置において、前記付属部連結端部は前記第１レンズ表面にある磁石と連結し、これによって、前記第１レンズ表面の磁石は、前記少なくとも１つのアイウェア・プラットフォーム取着表面と連結及び磁気的に連結するようになっている。
【請求項１７】
請求項１６のアイウェア装置において、前記第１レンズ表面磁石は前記付属部連結端部にボルト、ネジ、または粘着剤で連結されるようになっている。
【請求項１８】
眼鏡であって、
アイウェア・プラットフォームとレンズフレームとを有し
このアイウェア・プラットフォームは、ユーザーの耳に載せることが可能な２つのこめかみ部延長部と、この各こめかみ部延長部に回転可能に連結しているブリッジ部とを有し、このブリッジ部はユーザーの鼻の上に載ることで前記アイウェア・プラットフォームをユーザーに着用可能にするものであり、
前記レンズフレームは、前記フレーム内に取り付けられるレンズを有し、
前記レンズフレームは、アイウェア・プラットフォームを着用しているユーザーが前記レンズを通して見ることができるように前記アイウェア・プラットフォームにスナップ連結により取付可能であり、これによって、ユーザーはユーザーの必要に応じて眼鏡のレンズを交換できるようになっている
ことを特徴とする眼鏡。
【請求項１９】
請求項１８の眼鏡において、前記アイウェア・プラットフォームはプラットフォーム接触表面を含み、且つ前記レンズフレームにはレンズフレーム接触表面を含む、ここにおいて、前記プラットフォームと前記レンズフレームの接触表面は互いに連結することが可能である。
【請求項２０】
請求項１９の眼鏡において、スナップ取着は雄部分と雌部分を有し、
この雄部分は前記レンズフレームに位置し、
この雌部分は前記アイウェア・プラットフォームに位置し、これによって、前記雄部分は前記雌部分に整列して係合するようになっている。
【請求項２１】
請求項１９の眼鏡において、前記雄部分は前記アイウェア・プラットフォームに位置し、前記雌部分は前記レンズフレームに位置し、これによって、前記雄部分は前記雌部分に整列して係合するようになっている。
【請求項２２】
請求項１９の眼鏡において、前記レンズフレームは前記アイウェア・プラットフォームに、前記の接触表面間の接合部分にある少なくとも１つの磁石で、着脱自在に連結されるようになっている。
【請求項２３】
請求項１８の眼鏡において、前記アイウェア・プラットフォームはさらに、前記アイウェア・プラットフォームの中心点の近くに位置する、少なくとも１つの鼻あてを有するものである。
【発明の詳細な説明】
【技術分野】
【０００１】
本発明は、アイウェア及び眼鏡、前記アイウェア及び眼鏡の使用方法に関するものであり、磁石その他のデバイスによりアイウェア・プラットフォームに着脱自在に取着されたレンズフレームを提供するものである。アイウェア・プラットフォームにレンズフレームを着脱自在に取着することができるので、ユーザーは必要および／または状況に応じてレンズを変更する能力を最大限に発揮することができる。
【背景技術】
【０００２】
本発明以前においては、ユーザは、従来形の眼鏡に磁石またはクリップで連結することができる補助アイウェアを用い、上記従来形の眼鏡をサングラスに転化し、追加の度付きサングラスの必要性を避けてきた。また、この補助アイウェアは、アイウェアのレンズの度数を変更することにも使用される。多くの現行デザインによれば、補助アイウェアを従来の眼鏡のさまざまな個所に磁石またはクリップを使って取り付けることができるようになっている。
【０００３】
しかし、すでに独自のレンズを有する従来形の眼鏡に、追加の補助レンズを取り付けることにはいくつかの不都合がある。第１には、補助レンズの追加となる余分な重量である。プラスティックレンズが出現したとはいえ、追加のフレームとレンズのさらなる重量は、ユーザーの気をそらし苛立ちの原因となり得る。
【０００４】
第２には、２組のレンズが存在することになるので、２組のレンズが互いに近接している場合、グレアまたは反射の原因となり得ることである。この反射またはグレアは極めて煩わしい場合があり、グレアを軽減して視界を改善するというサングラス本来の使用目的を無意味にしてしまう恐れがある。
【０００５】
第３には、２組のレンズ間の隙間が、ユーザーの視界を妨げる可能性があることである。現行サングラスの多くのスタイルは、より小型若しくは幅の狭いレンズを有している。本来の若しくは従来のアイウェアに補助レンズを取着した場合、取着レンズを通した視界がより大きなレンズを通した視界より小さくなり、ユーザーがこの２組のレンズ間のずれを感ずることがある。そしてこのずれは、ユーザーにとって非常に気になることになる可能性がある。
【０００６】
第４には、度付きの眼鏡を必要としない人は、眼鏡がないので、現実的にはこれらの現行の補助アイウェア付属品を使用しないことである。そのため、サングラスの色を変更するという利点を利用することができない。
【０００７】
特許請求に係る本発明は、上記の問題点を避け、新しい機器及びアイウェア・プラットフォームに着脱自在にレンズフレームを取着する新しい方法における、重要な利点を提供する。出願人による発明によれば、アイウェア・プラットフォームからレンズ自体を取り外すことができるので、ユーザーは簡単にレンズを交換でき、一度に１組のレンズのみ着用するだけで済む。この出願人の発明では、アイウェアで１組のレンズのみを使用するので、重量が軽減され、レンズ間のグレアと反射を無くすことができ、それにより視界の混乱がなくなる。また、レンズが１組のみであるので、ユーザーは、レンズを清浄に保つことがより容易である。さらには、同じアイウェア・プラットフォームを異なるレンズのベースとして使用するので、ユーザーは、１つのアイウェア装置を使用することによって、素早く簡単に交換できる多種多様なタイプのレンズを使用できる。このインスタントアイウェア装置は、着け心地もよく、使い方も簡単である。異なったタイプのレンズを納める小さなケースは、異なったアイウェアを収容するための複数の箱と比較して持ち運びが便利である。最後に、複数の異なった従来の眼鏡を所有する代りに、１式のアイウェア・プラットフォーム用の異なったレンズセットを所有するので、ユーザーは費用をかなり節約できる可能性がある。
【０００８】
本発明によって、ユーザーは必要に応じて利用できるアイウェアの種類を最大化できる。例えば、ユーザーは小さな活字を読むためのレンズからサングラスに簡単に変更できる。また、度付き眼鏡を必要としない人も、特定の必要または状況に応じてサングラスの色を変えることができる。例えば、山中のドライブには黄色いレンズを必要とするが、陽光が注ぐ日のフィッシングまたはセーリングには灰色のレンズを必要とするかもしれない。
【０００９】
また本発明によれば、安全眼鏡及びアイウェアの交換を効率的に、また簡単に行うことができる。安全レンズ（セイフティーレンズ）をレンズフレームに着脱自在に取着できるので、ユーザーは使用した後に安全レンズが汚れ、損傷し、または破損した場合には簡単に交換することができる。取り替えるのはレンズフレームのみであるので、ユーザーは安全アイウェア全体ではなく、このレンズフレームだけを取り替えることで費用を節約できる。
【００１０】
またこのアイウェア装置は、レンズを素早く交換できる機能を提供するだけではなく、安定した有効な取付けをも提供するものであり、アイウェア・プラットフォームからレンズフレームが不意に外れてしまうことに対する実効的な抗力を提供する。
【００１１】
以上の説明から、現在使用されているデバイスには、顕著な不利と制限があることが明らかである。このため、本発明の技術分野における技術には、依然として進歩の余地がある。
【発明の開示】
【課題を解決するための手段】
【００１２】
本発明の目的は、アイウェア及び、磁石、クリップ、スナップ、クラスプ、フックまたはその他の取着デバイスでアイウェア・プラットフォームに着脱自在に取り付けるレンズフレームを提供する方法であって、着脱自在なレンズがアイウェア・プラットフォームから不意に外れることを効果的に防ぐことができるものを提供することである。本発明の好ましい実施形態によれば、着脱自在なレンズフレームは少なくとも１つの磁石によってアイウェア・プラットフォームに取着される。
【００１３】
本発明の他の実施形態によれば、着脱自在レンズフレームを非磁気的取着方法によりアイウェア・プラットフォームに連結することができる。また、レンズフレームを、磁気的取着と非磁気的取着方法とを併用してアイウェア・プラットフォームに着脱自在に連結することができる。
【００１４】
本発明の他の１つの実施形態では、レンズ表面上の磁石がアイウェア・プラットフォームの背面に着脱自在に連結され、前記レンズがアイウェア・プラットフォームのブリッジ部の背後に位置するようになっている。
【００１５】
本発明は、このような進歩性を提供するものである。好ましい実施形態において、本発明は単独で利用できる複数の側面を有するが、その利益を最大限に利用するには、これらは併用されることが望ましい。本発明に関する以上の動作上の原則及び利点は、添付図面と関連して以下の詳細な説明を理解することによって、さらに完全に理解されるであろう。
【発明を実施するための最良の形態】
【００１６】
図１〜３を参照すると、レンズフレーム１０がアイウェア・プラットフォーム１５に着脱自在に取着され連結されている眼鏡５が図示されている。
【００１７】
レンズフレーム：
レンズフレーム１０は、図１７及び１９に示すように、少なくとも１つのレンズ２０を有する。図１は、２つのレンズ２０を収容しているレンズフレームを示している。レンズフレーム１０は、図１に示すようにレンズ全体を囲んでも、あるいはレンズ外周２５の一部だけに取着されていてもよい。レンズフレーム１０の終端には、ターミナルレンズフレーム端部３０がある。各レンズフレーム終端３０は付属部３５を有する。付属部３５は、図１に示すように、アイウェア・プラットフォーム１５のこめかみ部延長部４０に揃うように曲折されている。付属部３５はさらに付属部ソケット４５を含んでおり、この付属部ソケット４５は、第１の付属部ソケット表面５０と第２の付属部ソケット表面５５とを有する。付属部ソケット４５は、水平取付け(図１〜６)または垂直取付け(図７)を含めて、レンズフレーム１０のさまざまな位置に位置決めされ取り付けられることが可能である。
【００１８】
付属部ソケット４５はさらに、少なくとも１つの磁石６０を含む。この磁石６０は、付属部ソケット４５のさまざまな異なった場所に位置でき、また前記磁石６０は磁石接触表面６５を有する。図１〜６では、磁石６０が付属部ソケット４５の内部に位置して囲まれており、磁石接触表面６５は第１または第２の付属部ソケット表面５０、５５と同じ高さに位置している。また磁石６０は付属部ソケット表面５０、５５上に位置して、前記付属部ソケット４５の上に１つの隆起７０を形成してもよい。また磁石６０は、付属部ソケット表面５０、５５の下に位置して、付属部ソケット凹み７５を形成してもよい。さらには、付属部ソケット４５に複数の磁石があってもよい。また、磁石は付属部ソケット４５に囲まれている必要はない。
【００１９】
アイウェア・プラットフォーム：
図１及び４を参照すると、アイウェア・プラットフォーム１５は細長い形状をしている。アイウェア・プラットフォーム１５には、ユーザーの耳の上に載せることが可能な２つのこめかみ部延長部４０と、各こめかみ部延長部４０に回転可能に連結しているブリッジ部７７とが含まれており、ブリッジ部７７をユーザーの鼻の上に載せることで、アイウェア・プラットフォーム１５はユーザーに着用可能である。またアイウェア・プラットフォーム１５は、アイウェア・プラットフォーム１５の端部に位置するプラットフォーム・アーム８０を有する。このプフラットフォームアーム８０は、レンズフレーム１０の付属部３５を模して曲折することで、こめかみ部延長部４０に整列させ、レンズフレーム１０をアイウェア・プラットフォーム１５に適切に装着する。付属部とプラットフォーム・アーム８０の両方は、本発明に関する磁石、クリップ、クラスプ、スナップ、フックそしてストラップなどのさまざまな取着デバイスに対する取付け表面を提供することができる。例えば、図１ではプラットフォーム・アーム８０はさらにこめかみ部ソケット８５を含み、これは第１こめかみ部ソケット表面９０と第２こめかみ部ソケット表面９５とを有する。こめかみ部ソケット８５は、水平取付け(図１〜６)または垂直取付け（図７）を含み、さまざまなプラットフォーム・アームの位置に整列して取り付けることができる。
【００２０】
さらにこめかみ部ソケット８５は、少なくとも１つの磁石１００を包含する。この磁石６１は、こめかみ部ソケット８５のさまざまな異なった場所に位置でき、また前記こめかみ部ソケット磁石１００は磁石接触表面１０５を有する。図１〜６では、こめかみ部ソケット磁石１００がこめかみ部ソケット８５の内部にあって囲まれており、磁石接触表面１０５は、第１または第２のこめかみ部ソケット表面９０、９５に装着することができる。また、磁石１００はこめかみ部ソケット表面９０、９５の上に位置して、前記こめかみ部ソケットに１つの突起１１０を形成してもよい。または、磁石１００はこめかみ部ソケット表面９０、９５の下に位置して、こめかみ部ソケット凹み１１５を形成してもよい。また、こめかみ部ソケットは複数の磁石を有していてもよい。さらには、磁石はこめかみ部ソケット８５に完全に囲まれている必要はない。
【００２１】
アイウェア・プラットフォーム１５は、アイウェア・プラットフォーム１５の中心点１２５に取着している単一または一式の鼻あて１２０、１２０’を有しても良い。またこめかみ部４０は、ばね、蝶番、またはジョイントなどのさまざまな異なった調節可能な連結部１３０を使用して、プラットフォーム・アーム８０に調節可能に連結できる。
【００２２】
アイウェア・プラットフォームへのレンズフレームの取着：
アイウェア・プラットフォーム１５にレンズフレーム１０を取着するには、こめかみ部ソケット８５の磁石１００が付属部ソケット４５の磁石６０と連結、結合そして接触するように配置し、前記磁石６０と１００の軸１３５に沿った磁気力が最大になるようにする。図１〜３では、この軸１３５はレンズフレーム１０と垂直方向に平行して配置されている。こめかみ部ソケット磁石１００は付属部ソケット磁石６０と係合及び結合して、前記レンズフレーム１０が前記アイウェア・プラットフォーム１５から不意に外れないような実効的な抗力を提供する。図１〜２４に示す実施形態では、磁石を使用して、レンズフレーム１０をアイウェア・プラットフォーム１５に着脱自在に取着する。
【００２３】
最大の磁気力を発揮させるには、付属部及びこめかみ部ソケット８５の磁石が同じ軸１３５に沿って整列する必要がある。同じ軸に沿って、こめかみ部ソケット磁石１００と付属部ソケット磁石６０の両方を配置、結合、連結そして接触させることによって、ユーザーは磁気力を最大にすることができる。このようにして、こめかみ部ソケット磁石１００が付属部ソケット磁石６０と整列、連結または結合している限り、これらの磁石はレンズフレームとアイウェア・プラットフォームの実質的に無数の角度と場所に位置することができる。この結果、磁石軸１３５は磁石の取付け角度によって変化する。
【００２４】
また、図１〜２４で示す実施形態では、少なくとも２つの磁石がお互いに結合また組み合わされている。代替の実施形態では、この発明は２つの磁石が互いに結合また組み合わされることのみに制限されない。このレンズフレームのアイウェア・プラットフォームへの取付けは、レンズフレームまたはアイウェア・プラットフォームのどちらかに磁石が１つあれば実施できる。この単一磁石は対応する金属表面に磁気力で取着することができる。
【００２５】
付属部及びこめかみ部ソケットの磁石取付けに異なった角度が可能であるだけではなく、アイウェア・プラットフォームに対するレンズフレームの取付けも変更が可能である。図１〜３は、レンズフレーム１０がアイウェア・プラットフォーム１５の下に取り付けられているのを示している。図２では、第２こめかみ部ソケット表面９５及びこめかみ部ソケット磁石１００の接触表面１０７が、第１付属部ソケット表面５０及び付属部ソケット磁石６０の第１接触表面６５に接触しているのを示しているが、このように前記磁石１００と６０を整列させて、アイウェア・プラットフォーム１５からレンズフレーム１０が不意に外れないような実効的な抗力を提供する。図３は、付属部ソケット磁石６０の第１接触表面とこめかみ部ソケット磁石１００の第２接触表面とが、こめかみ部ソケット８５の凹み１１５内で接触しているのを示している。こめかみ部ソケット凹み１１５または同じような付属部凹みソケットは、水平にまたは横から横に外れるのに対するより強力な抵抗力を提供する。
【００２６】
これに対して、図３から６では、レンズフレーム１０がアイウェア・プラットフォーム１５の上に取り付けられている。図５は、付属部ソケット磁石６０の第２接触表面６７及び付属部ソケット４５の第２表面５５が、こめかみ部ソケット磁石１００の第１接触表面１０７及び第１こめかみ部ソケット表面９５に接触しているが、このように前記磁石を整列させて、前記レンズフレームが前記アイウェア・プラットフォームから不意に外れないような実効的な抗力を提供する。図６では、付属部ソケット磁石６０の第２接触表面６７が、こめかみ部ソケット磁石の第１接触表面１０５に、こめかみ部ソケット凹み１１５内で接触している。こめかみ部ソケット凹み１１５または同じような付属部凹みソケットは、水平または横から横に外れるのに対するより強力な抵抗力を提供する。また、非使用の磁石接触表面は保護カバー、塗装またはペンキでカバーしてもよい。
【００２７】
こめかみ部での側面取着
外部位置
図７は、本発明のもう１つの実施形態を示しているが、ここでは、レンズフレーム１０の付属部３５及びアイウェア・プラットフォーム１５のこめかみ部ソケット８５が、図１から６までの実施形態とは、異なった角度に配置されている。図１から６では付属部とこめかみ部のソケットが水平方向に取り付けられているが、図７では、付属部とこめかみ部のソケットが垂直方向に取り付けられている。磁石が互いに整列して前記レンズフレームが前記アイウェア・プラットフォームから不意に外れるのに対する実効的な抗力を提供するか、または付属部及びこめかみ部ソケットの両磁石の接触が最大限に維持される限りは、付属部とこめかみ部のソケットは異なった角度に取り付けることができる。こめかみ部ソケット磁石１００と付属部ソケット磁石６０を同じ磁石軸に沿っていっしょに配置、結合、および接触させることにより、ユーザーは磁気力を最大限にすることができる。付属部ソケット４５とこめかみ部ソケット８５は、円形、四角、長方形または楕円形などを含む異なった形状であってもよい。
【００２８】
図７は、本発明の分解組立て図で、ここでは、付属部ソケット磁石の第２接触表面６７及び第２付属部ソケット表面５５が、こめかみ部ソケット磁石１００の第１接触表面１０５及び第１こめかみ部ソケット表面９０に整列して接触するが、こうして前記磁石が整列することにより、前記レンズフレームが前記アイウェア・プラットフォームから不意に外れないような実効的な抗力を提供する。この実施形態で、レンズフレームをアイウェア・プラットフォームに適切に取着するには、付属部ソケットとこめかみ部ソケットの両方の磁石が共通の磁気軸にそって整列し、最高の磁気連結を成就することが望ましい。
【００２９】
内部位置
これに加えて、本発明のもう１つの実施形態では、こめかみ部ソケット磁石１００の第２接触表面１０７及び第２こめかみ部ソケット表面９５が、第１付属部ソケット磁石表面６５及び第１付属部ソケット表面５０に整列して接触するが、こうして前記磁石６０と１００が整列することにより、前記レンズフレーム１０が前記アイウェア・プラットフォーム１５から不意に外れないような実効的な抗力を提供する。すでに説明したように、付属部ソケット４５とこめかみ部ソケット８５は互いに関して異なった位置、すなわちその内部またはその外部、に位置してもよい。
【００３０】
こめかみ部でのプロング取着
図８は、レンズフレーム１０の付属部３５がさらに付属部プロング１４０を包含している本発明のもう１つの実施形態で、付属部プロングは、付属部プロング表面１４５及び複数のプロングディジット１５０を有する。図８では、２つのプロングディジット１５０を示しているが、付属部プロング表面１４５には２つ以上のプロングディジット１５０があってもよい。付属部プロング表面１４５は少なくとも１つの磁石６０を有する。この磁石６０は、付属部プロング表面１４５と同じ高さに位置してもよいし、または付属部プロング表面１４５に対して下または上の高さに位置してもよい。
【００３１】
図８は、少なくとも１つのプラットフォーム・アーム延長部表面１６０と少なくとも１つの磁石１００とを有するプラットフォーム・アーム延長部１５５を示しており、この磁石は、プラットフォーム・アーム延長部１５５の表面１６０に接触できる。プロングディジット１５０は付属部プロング１４０内にスペース１５１を形成し、プラットフォーム・アーム延長部１５５がプロングディジット１５０の間に安全に装着できるようにする。
【００３２】
この実施形態で、レンズフレーム１０をアイウェア・プラットフォーム１５に取着するには、前記付属部プロング１４０の少なくとも１つの磁石６０を、前記プラットフォーム・アーム延長部表面１６０の少なくとも１つの磁石１００に結合及び整列させ、これらの整列した磁石６０と１００が、レンズフレーム１０がアイウェア・プラットフォーム１５から不意に外れないような実効的な抗力を提供するようにする。
【００３３】
図９は、プラットフォーム・アーム８０がさらにプラットフォーム・アームプロング１６５を包含している本発明のもう１つの実施形態で、このプラットフォーム・アームプロングはプラットフォーム・アームプロング表面１７０及び複数のプロングディジット１５０を有する。図９及び１０では２つのプロングディジット１５０を示しているが、プラットフォーム・アームプロング表面１７０に２つ以上のプロングディジット１５０があってもよい。プラットフォーム・アームプロング表面１７０には少なくとも１つの磁石１００があり、図１０は磁石１００を有する各プロングを示している。磁石１００は、プラットフォーム・アームプロング表面１７０と同じ高さに位置してもよいし、またはプラットフォーム・アームプロング表面１７０の下または上に位置してもよい。
【００３４】
図９はまた、少なくとも１つの磁石６０を持つ付属部ソケット４５を有する付属部３５を示している。上記に説明した前の実施形態と同じように、付属部ソケット４５は第１付属部ソケット表面５０と第２付属部ソケット表面５５とを有する。この磁石６０は、第１及び第２の付属部ソケット表面４５、５０の両方に、またはその近くに位置することができる。図９及び１０の実施形態では、磁石６０はプラットフォーム・アームプロング表面の両方の磁石１００に接触できる。プロングディジット１５０は、プラットフォーム・アームプロング表面１７０内にスペース１５２を形成し、付属部ソケット４５がプロングディジット１５０の間にしっかりと装着できるようにする。
【００３５】
この実施形態で、レンズフレームをアイウェア・プラットフォームに取着するには、前記プラットフォーム・アームプロングの少なくとも１つの磁石１００を、前記付属部ソケットの磁石６０と結合及び整列させ、整列したこれらの磁石６０と１００が、レンズフレーム１０がアイウェア・プラットフォーム１５から不意に外れないような実効的な抗力を提供するようにする。
【００３６】
こめかみ部の水平プロング
図１１及び１２は本発明のもう１つの実施形態で、ここでは、図８〜１０の実施形態での垂直配置とは対照的に、付属部プロング１４０が水平方向に配置されている。この水平取付けの付属部プロング１４０は、図８から１０の実施形態と同じような方式で、水平方向に配置されているこめかみ部ソケット８５に結合及び連結する。
【００３７】
ノーズ取付け
図１３及び１４は、本発明のもう１つの実施形態で、アイウェア・プラットフォームとレンズフレームが、眼鏡５のノーズブリッジ１７５またはその中央１８０の接合部分３０５で接続及び連結する。レンズフレームは少なくとも１つのレンズ１８５を有する。アイウェア装置のデザインまた機能上の必要に応じて、本発明は単一レンズまたは複数レンズのアイウェアに適用できる。複数レンズの場合は、レンズコネクター１９０がレンズフレーム１０のレンズ１８５、１８５’を連結する。このレンズフレーム１０は、レンズコネクター接触表面１９５と少なくとも１つの磁石２００とを有する。このアイウェア・プラットフォーム１５は、アイウェアブリッジ取着面２０５と少なくとも１つの磁石２１０を有する。
【００３８】
レンズフレーム１０をアイウェア・プラットフォーム１５に連結するには、ユーザーは、アイウェアブリッジ取着表面２０５の磁石２１０を、レンズコネクター接触表面１９５の磁石２００に接合部分３０５で結合及び連結させ、前記磁石２１０と２００が整列し、前記レンズフレーム１０が前記アイウェア・プラットフォーム１５から不意に外れないような実効的な抗力を提供するようにする。
【００３９】
図１３では、レンズフレーム１０がアイウェア・プラットフォーム１５の上に装着されており、図１４では、レンズフレーム１０がアイウェア・プラットフォーム１５の下に装着されている。この結果として、実施形態に応じて、このアイウェア装置では、レンズフレーム１０が最初の高さにあり、アイウェアブリッジ１５が第２の高さにあることができる。図１３の場合のように、レンズフレームがアイウェア・プラットフォームの上に装着される場合は、レンズコネクター接触表面１９５が、アイウェアブリッジの取着表面２０５の高さに比べてより高くなる。同様に、図１４の場合のように、レンズフレーム１０がアイウェアブリッジ１５の下に装着される場合は、レンズコネクターの接触表面１９５はアイウェアブリッジ取着表面２０５の高さより低くなる。
【００４０】
眼鏡のノーズブリッジまたは中央での磁石連結は、この出願で説明した他の取着機器及び方法と併用することができる。
【００４１】
ノーズでのプロング
図１５及び１６は、レンズフレームがアイウェア・プラットフォームにノーズブリッジでプロングを使って着脱自在に連結される追加の実施形態で、このプロングはアイウェア・プラットフォームまたはレンズフレームのどちらに取り付けられてもよい。図１５は、少なくとも１つのアイウェア・プラットフォームプロング表面２２０を持つアイウェア・プラットフォームプロング２１５を有するアイウェア・プラットフォームを示している。アイウェア・プラットフォームプロング２１５は、少なくとも１つの磁石２２５と複数のディジット２３０を有し、図１５では、２つの磁石２２５及び２つのディジット２３０を有するプロング２１５を示している。これらのディジット２３０は、アイウェア・プラットフォームプロング２１５の内部にスペース２３５を形成し、レンズフレーム１０のレンズコネクター１９０の回りに装着できるようにする。レンズコネクター１９０は、少なくとも１つのレンズコネクター接触表面１９５及び、レンズコネクター１９０内に少なくとも１つの磁石２００を有する。図１５では、レンズコネクター１９０を貫通している１つの磁石２００が、アイウェア・プラットフォームプロング２１５の磁石２２５と結合しているのを示している。上記に説明した前の実施形態と同じように、アイウェア・プラットフォーム及びレンズフレームの磁石を互いに整列して配置し、接触した磁石がアイウェア・プラットフォームからレンズフレームが不意に外れないような実効的な抗力を提供するようにする。また、アイウェア・プラットフォームプロングには２つ以上のディジット２３０があってもよい。
【００４２】
図１６は、プロングタイプ取着のもう１つの実施形態である。レンズフレーム１０は、少なくとも１つのレンズコネクター接触表面１９５を有するレンズコネクタープロング２４０を持つレンズコネクター１９０と、レンズコネクター１９０内に少なくとも１つの磁石２００とを有する。レンズコネクタープロング２４０には複数のディジット２４５があり、これはレンズコネクタープロング２４０の内部にスペース２５０を形成する。アイウェア・プラットフォーム１５は、アイウェアまたは眼鏡５の中央１８０近くで且つレンズフレーム１０のレンズコネクタープロング２４０に対応する場所に、プラットフォームノーズ延長部２５５を有する。プラットフォームノーズ延長部２５５は、延長部表面２６０と少なくとも１つの磁石２６５を有する。プラットフォームノーズ延長部２５５は、レンズコネクタープロング２４０内部のスペース２５０内に装着される。図１６に示すように、少なくとも１つのレンズ１８５を有するレンズフレーム１０をアイウェア・プラットフォーム１５に連結するには、ユーザーは、レンズコネクタープロング２４０の磁石２００をアイウェア・プラットフォームのノーズ延長部２５５の磁石２１０に接合部分３０５で整列させ、前記磁石が前記アイウェア・プラットフォーム１５から前記レンズフレーム１０が不意に外れないような実効的な抗力を提供するようにする。
【００４３】
上記に説明した前の実施形態の場合と同じように、アイウェアまたは眼鏡の中央１８０または終端部に位置するプロングタイプの取着は、図１〜１３に示した本発明のその他の実施形態と組み合わせることができる。これらの実施形態は、クリップ、スナップ、クラスプ、フック、ストラップまたはベルクロ取着などの非磁気取着デバイスを併用することもできる。
【００４４】
図１７〜図２５は、本発明の実施形態のもう１つのグループである。レンズフレーム１０は、２つのこめかみ部延長部４０を有するアイウェア１５に着脱自在に連結する。アイウェア・プラットフォーム１５は、少なくとも１つのアイウェア・プラットフォーム取着表面またはプラットフォーム接触表面２７０と、少なくとも１つの磁石２７５とを有する。レンズフレーム１０は、少なくとも１つのレンズ２０と、少なくとも１つのレンズフレーム接触表面２８０と、そして少なくとも１つの磁石２８５とを有する。レンズフレーム１０はアイウェア・プラットフォーム１５に、接合部分３０５にある単一の磁石で着脱自在に取着でき、この磁石は、アイウェア・プラットフォームとレンズフレームのどちらに位置してもよい。
【００４５】
図１７では、アイウェア・プラットフォーム１５はプラットフォーム接触表面２７０に所在する複数の磁石を有している。これらの磁石２７５は、レンズフレーム１０の複数磁石２８５及びレンズフレーム接触表面２８０と結合及び連結するように配置されている。図１８は、アイウェアの特定スタイルに応じて、少なくとも１つのプラットフォーム接触表面２７０と少なくとも１つのレンズフレーム接触表面２８０があり得ることを示している。
【００４６】
この眼鏡の発明は、プラットフォーム接触表面２７０がレンズフレーム接触表面２８０に接合部分３０５で連結または結合することを可能にする。こうして、レンズフレーム１０がアイウェア・プラットフォーム１５に着脱自在に係合することが可能になり、この結果、アイウェア・プラットフォーム１５を着用しているユーザーがレンズ２０を通して見ることができ、またユーザーが必要に応じて眼鏡５のレンズ２０を交換することができる。さらに本発明は、レンズフレーム１０がアイウェア・プラットフォーム１５に、接触表面間の接合部分３０５にある少なくとも１つの磁石で、着脱自在に連結することを可能にする。
【００４７】
また図１〜２４及び２７〜３０に示す実施例では、少なくとも２つの磁石（レンズフレームに１つとアイウェア・プラットフォームにもう１つ）が互いに結合及び組み合わされている。代替の実施形態では、本発明は２つの磁石が互いに結合及び組み合わされることだけに制限されるものではない。アイウェア・プラットフォームへのレンズフレームの取付けは、レンズフレームまたはアイウェア・プラットフォームのどちらかに位置する１つだけの磁石で実施できる。単一磁石は受容する金属面に取着できる。そのため、レンズフレーム１０はアイウェア・プラットフォーム１５に、接触表面間の接合部分にある少なくとも１つの磁石で着脱自在に連結できる。
【００４８】
図１９から２４では、本発明に利用可能な取着のさまざまな実施例を示している。これら実施形態ではすべて、レンズフレーム１０がアイウェア・プラットフォーム１５に少なくとも１つの磁石で着脱自在に取着する。図１９と２０では、レンズフレームがアイウェア・プラットフォームの上からおよび部分的に覆って着脱自在に取り付けられている。この実施形態では、レンズフレームは１つ以上のレンズフレーム接触表面２８０を有し、アイウェア・プラットフォームを覆う棚のように装着され、この場合アイウェア・プラットフォームも１つ以上のアイウェア・プラットフォーム取着面を有する。アイウェア・プラットフォームとレンズフレームの両方の磁石は異なった場所に位置してもよいが、前記磁石が整列して前記アイウェア・プラットフォームから前記レンズフレームが不意に外れないような実効的な抗力を提供できるようにする。
【００４９】
図２７と２８に示すように、レンズフレーム１０はアイウェア・プラットフォーム１５に着脱自在に取り付けることができるが、この例では、付属部ソケット４５がプラットフォーム・アーム８０及びこめかみ部ソケット８５の上に伸び、付属部ソケット磁石６０がこめかみ部ソケット磁石１００と接合部分３０５で整列及び連結し、前記磁石が、前記アイウェア・プラットフォーム１５から前記レンズフレーム１０が不意に外れないような実効的な抗力を提供する。接合部分３０５はユーザーの顔またはレンズと平行である。
【００５０】
またもう１つの実施形態では、付属部ソケット４５がプラットフォーム・アーム８０及びこめかみ部ソケット８５の下に伸びて、付属部ソケット磁石６０がこめかみ部ソケット磁石１００と接合部分３０５で整列及び連結し、前記磁石は前記アイウェア・プラットフォーム１５から前記レンズフレーム１０が不意に外れないような実効的な抗力を提供する。この場合も、接合部分はユーザーの顔またはレンズと平行である。
【００５１】
図２７と２８の実施形態と同じように、図２９と３０の実施形態でも、レンズフレーム１０及びレンズコネクター１９０の延長部は、眼鏡５の中央１８０の上または下に伸び、レンズフレーム磁石２００がアイウェアブリッジ取着表面２０５の磁石２１０と接合部分３０５で整列及び連結し、前記磁石は前記アイウェア・プラットフォーム１５から前記レンズフレーム１０が不意に外れないような実効的な抗力を提供する。図２７から３０では、接合部分３０５はユーザーの顔またはレンズ１８５と平行である。
【００５２】
クリップ取着
図２５で示すように、レンズフレーム１０はアイウェア・プラットフォーム１５に、クリップ２９０で簡単に取着できる。図２５では、２つのクリップ２９０がレンズフレーム１０の上に位置しているのを示している。複数のクリップ２９０がレンズフレーム１０のさまざまな異なった場所に存在してもよい。これらのクリップ２９０は結合して、レンズフレーム１０をアイウェア・プラットフォーム１５に着脱自在に連結する。この実施形態は、レンズフレームとアイウェア・プラットフォームの着脱自在の組立てが、非磁気取着を使用しないで行いうることを示している。また、これらのクリップ２９０または他の非磁気取着を、磁石と併用して、レンズフレーム１０をアイウェア・プラットフォーム１５に着脱自在に取着してもよい。この結果、接触表面間の接合部分３０５で少なくとも１つのクリップを使用して、レンズフレーム１０はアイウェア・プラットフォーム１５に着脱自在に取着できる。
【００５３】
プラグ取着
図２６で示すように、レンズフレーム１０はアイウェア・プラットフォーム１５に、レンズフレーム１０の端部にある一片またはプラグ２９５で簡単に取着できる。この一片またはプラグ２９５は、スロットまたはチャンネル３００が形成するスペースと結合また充填するが、このスペースはこめかみ部延長部が形成する水平軸と平行である。この一片またはプラグ２９５はスロットまたはチャンネル３００の内部にしっかりと装着され、レンズフレーム１０がアイウェア・プラットフォーム１５から不意に外れないような実効的な抗力を提供する。この実施形態での取着は、上記のその他の取着デバイス、磁石、クリップ、ストラップ、クラスプまたはベルクロと併用して、または単独で使用できる。
【００５４】
代替でも、それぞれの前記プラットフォームプロングは一片またはプラグ２９５を有する。この一片またはプラグ２９５は、前記ターミナルレンズフレーム端部の前記付属部のチャンネルまたはスロットと結合及び連結する。これらのチャンネルは、前記プラットフォームプロングの前記一片またはプラグがしっかり装着できるスペースを形成し、前記レンズフレームが前記アイウェア・プラットフォームから不意に外れないような実効的な抗力を提供する。
【００５５】
材料
アイウェア・プラットフォームとレンズフレームは、金属、合金、炭素ファイバー、プラスティック及びその他の軽量で且つ強固な合成材料などを含むがこれらの材料に制限されない、さまざまな材料から形成することができる。また、アイウェア・プラットフォームとレンズフレームは、アイウェアの過酷な使用に耐え得るように一定量の弾力、伸縮性、または「しなやかさ」を持つ材料から形成することもできる。アイウェア・プラットフォームとレンズフレームは両方とも、特定なデザインまたはユーザーの必要性に応じてさまざまな形とサイズになることが可能である。また、アイウェア・プラットフォームとレンズフレームの両方がそれぞれ１つのピースから作られてもよい。
【００５６】
また本発明では、安全眼鏡とアイウェアの交換を効果的また簡単に行うことが可能である。安全レンズを有するレンズフレームの着脱自在な取着が可能なので、ユーザーは安全レンズを簡単に着用でき、またこれらのレンズが汚染、損傷または破損した場合には簡単に交換できる。またユーザーは、安全眼鏡全体を交換する代りに、単にレンズフレームを交換するので費用を節約できる。
【００５７】
アイウェア・プラットフォームのブリッジ部の背後に取り付けられるレンズ
図３１〜３５の実施形態では、アイウェア・プラットフォーム１５に着脱自在に取着また連結するレンズ２０を有する眼鏡５が図解されている。図３１〜３５の実施形態では、レンズ２０がアイウェア・プラットフォーム１５の背後に位置する。このレンズ２０は、図１〜６に示して説明したのと同じような付属部３５とプラットフォーム・アーム８０での磁石取着を使用して、アイウェア・プラットフォーム１５に取着することができる。また、このレンズ２０は、レンズ２０自体にある磁石３１０、３１２を使用して、アイウェア・プラットフォーム１５のブリッジ部７７に着脱自在に連結することもできる。さらに、レンズ２０は、クリップまたはスナップ連結デバイスなどの非磁気連結デバイスで、アイウェア・プラットフォーム１５のブリッジ部７７に連結することもできる。
【００５８】
レンズコネクターと磁石を有する２つのレンズ
図３１〜３５では、２つのレンズがアイウェア・プラットフォーム１５に着脱自在に連結している。アイウェア・プラットフォーム１５には、ユーザーの耳の上に載せることが可能な２つのこめかみ部延長部４０と、前記の各こめかみ部延長部４０に回転可能に連結するアイウェア・プラットフォーム１５のブリッジ部７７とがあり、ブリッジ部７７がユーザーの鼻の上に載るので、アイウェア・プラットフォーム１５はユーザーによって着用可能である。
【００５９】
この２つのレンズ２０はレンズコネクター１９０で互いに連結している。２つのレンズはアイウェア・プラットフォーム１５の取着表面に磁気取着できるので、前記アイウェア・プラットフォーム１５を着用しているユーザーがこのレンズ２０を通して見ることができ、こうして、ユーザーは必要に応じて眼鏡のレンズを交換できる。
【００６０】
レンズコネクター
レンズコネクター１９０は２つの端部３０５を有する。これらのターミナルレンズコネクター端部３０５はレンズの内側３２０に係合する。レンズコネクター１９０は、接着剤、にかわ、ボルトまたはネジでレンズ２０に固定的に連結できる。レンズコネクター端部３０５はネジまたはボルト３２５でレンズ２０にしっかり固定できる。また、レンズコネクター端部３０５は、レンズ２０の表面または側面に形成されるスロットに装着することもできる。これらのスロットまたはチャンネルはレンズコネクター端部がレンズ２０にしっかりと固定されることを可能にする。レンズ２０は、第1または外部表面３１５及び第２または内部表面３２０を有する。
【００６１】
レンズコネクターの鼻あて
レンズコネクター１９０とアイウェア・プラットフォーム１５は両方ともユーザーの鼻の上に載ることができる。従って、鼻あて１２０は、レンズコネクター１９０またはアイウェア・プラットフォーム１５のどちらに取着してもよい。鼻あて１２０がレンズコネクター１９０に取着される場合は、レンズコネクター１９０はユーザーの鼻の上に載るので、眼鏡がユーザーによって着用可能である。
【００６２】
ブリッジ部の鼻あて
鼻あて１２０はアイウェア・プラットフォーム１５のブリッジ部７７に取着してもよく、ブリッジ部７７はユーザーの鼻の上に載るので、眼鏡はユーザーによって着用可能である。図３３〜３５に示すように、ブリッジ部７７に取着される１組の鼻あて１２０は、結果的にスペース３３５を形成し、このスペースにレンズコネクター１９０とレンズ２０を装着することができる。このスペース３３５はレンズコネクター１９０をきっちり且つしっかり装着できる受入場所として機能し、レンズをアイウェア・プラットフォーム１５に固定し、前記レンズフレーム２０が前記アイウェア・プラットフォーム１５から不意に外れないような実効的な抗力を提供するのに役立つ。この配置では、鼻あて１２０は、アイウェア・プラットフォーム１５のブリッジ部７７からレンズコネクター１９０の上まで広がっている。さらに、レンズコネクター１９０とブリッジ部７７の装着をカスタマイズするために、レンズコネクター１９０の表面上に小さなノッチ３４５を設けてもよい。このノッチ３４５は、ブリッジ部がこの上に装着され、レンズコネクター１９０の上表面から少しだけ下に位置することを可能にする。
【００６３】
この結果、上記に説明してきた磁気または非磁気の取着デバイスに加えて、ユーザーは、アイウェア・プラットフォーム１５の鼻あて１２０とブリッジ部７７が形成するスペース３３５に、レンズコネクター１９０を配置できる。このスペース３５５は水平軸１３６に沿った抵抗力を提供し、ユーザーがアイウェア・プラットフォーム１５からレンズ２０を取り外すまで、レンズ２０をその場所に固定するのに役立つ。
【００６４】
こめかみ部ソケット／付属部の磁石
図３１〜３５に示すように、この眼鏡の実施形態では、図１〜３に示し上記に説明した磁石取着を統合できる。アイウェア・プラットフォームにはプラットフォーム・アーム８０があり、これがレンズ２０に連結している付属部３５に連結及び結合する。レンズフレーム１０をアイウェア・プラットフォーム１５に取着するには、こめかみ部ソケット８５の磁石１００が付属部ソケット４５の磁石６０に結合するように配置し、前記磁石６０と１００の軸１３５に沿って実効的な磁気力が働くようにする。こめかみ部ソケット磁石１００は付属部ソケット磁石６０と係合及び結合し、前記レンズ２０が前記アイウェア・プラットフォーム１５から不意に外れないように実効的な抗力を提供する。
【００６５】
上記に説明したように、こめかみ部ソケットまたは付属部ソケットのどちらかに凹みがあってもよく、そして特定の磁石が他ソケットに形成されたこの凹み内に嵌まってもよい。例えば図３４のように、付属部ソケットの磁石が付属部の表面の上に位置して１つの隆起を形成することができる。この「隆起」した付属部ソケット磁石は、こめかみ部ソケットの凹みまたは凹形の内部に装着され、水平軸に沿った抵抗力を生ぜしめ、レンズがアイウェア・プラットフォームから不意に外れないような抵抗力を強化する。
【００６６】
アイウェア・プラットフォーム表面
アイウェア・プラットフォーム１５は、少なくとも１つのプラットフォーム接触表面２７０またはアイウェア・プラットフォーム取着表面２７０を有する。さらに、このプラットフォーム接触表面２７０は第１または外部表面２７１と第２または内部表面２７２とを有する。このアイウェア・プラットフォーム１５とそのブリッジ部７７にも磁石２７５があってもよい。これら磁石２７５は、ブリッジ部７７の異なった場所に位置できる。
【００６７】
ブリッジ部７７も、これらに限らないが金属または合金の材料で作ることができる。すると、磁石が取着して磁気連結を形成する表面を提供できるので、レンズ２０がアイウェア・プラットフォーム１５から不意に外れないような実効的な抗力を提供できる。
【００６８】
レンズコネクター端部の磁石
本発明のもう１つの実施形態では、レンズコネクター１９０の端部３０５がレンズに連結するだけではなく、これらの端部３０５はレンズの外部または第１表面に位置する磁石３１０に連結することもできる。これらの磁石３１０の一部分が外部表面３１５の上に位置するように、磁石３１０を部分的にレンズ２０内に位置させてもよい。また、これらの磁石がレンズ２０の外部または第１表面と接合するように、レンズ２０内に配置してもよい。
【００６９】
もう１つの実施形態では、これらの磁石３１０をレンズ２０の外部または第１表面３１５に置いて、にかわまたは接着剤で固着できる。これらの磁石３１０は、レンズ２０を貫通してレンズ２０の内部表面３２０のレンズコネクター１９０の端まで届く小さなネジまたはボルト３２５に連結することができる。
【００７０】
付属部レンズ連結端部の磁石
付属部３５は付属部レンズ連結端部３３０を有し、この連結端部３３０は付属部３５をレンズ２０に接触及び固定させる。図３１〜３２に示すように、付属部レンズ連結端部３３０は、レンズ２０の内部または第２表面３２０に取着している。付属部３５は、接着剤、クリップ、ボルトそしてネジを含むがこれらに制限されないさまざまなコネクターで、内部表面３２０に連結している。
【００７１】
少なくとも１つの磁石３１２があってもよく、これはレンズ２０の外部表面３１５及び付属部３５のすぐ近くに位置する。この実施形態では、磁石３１２は、ネジ、ボルトまたは接着剤を含むがこれらに制限されないさまざまな連結デバイスで、付属部レンズ連結端部３３０に取着している。磁石３１２はネジまたはボルト３２５で付属部レンズ連結端部３３０に連結している。ネジまたはボルト３２７は、付属部レンズ連結端部３３０を磁石３１２に連結している。
【００７２】
磁石３１２は、磁石３１０と同じようなサイズ、形および高さであることができる。磁石３１２が磁石２７５またはアイウェア・プラットフォーム１５の磁気取着可能な表面に接触している限りは、磁石３１２は、レンズ２０の上またはレンズ２０の厚み内に位置することができる。
【００７３】
もう１つの実施形態では、これらの磁石３１２はレンズ２０の外部表面３１５に位置して、にかわまたは接着剤で固着されてもよい。これらの磁石３１２は、レンズ２０を通ってレンズ２０の内部表面３２０の付属部レンズ連結端部３３０まで届く小さなネジまたはボルト３２７で、レンズ２０の外部表面に連結できる。また、これらの磁石３１２を部分的にレンズ２０内に位置して、磁石３１２の一部分が外部表面３１５の上に位置するようにすることもできる。
【００７４】
これらの磁石３１０、３１２が、アイウェア・プラットフォーム表面２７０またはアイウェア・プラットフォーム表面２７０の磁石２７５と連結し、前記磁石３１０、３１２が、前記レンズ２０が前記アイウェア・プラットフォーム１５から不意に外れないような実効的な抗力を提供する。またこれらの磁石３１０、３１２は、こめかみ部延長部４０と平行な水平軸１３６に沿って位置することもできる。
【００７５】
この実施形態では、レンズ２０はアイウェア・プラットフォーム１５の背後に位置する。レンズ２０がアイウェア・プラットフォームの背後に装着されるので、磁石３１０、３１２の大部分が覆われ、磁石３１０、３１２は視界から完全に遮断される。また、磁石３１０、３１２の配置によっては、磁石を視界から隠すことができる。レンズ２０とアイウェア・プラットフォーム１５の磁石３１０、３１２の配置を調節して、取着磁石の機能性及び美観に理想的な装着を提供することができる。さらには、アイウェア・プラットフォーム１５とレンズ２０の組合せを調節して、ボルトまたは磁石の露出を最低限にすることもできる。
【００７６】
これらの磁石３１０、３１２は、アイウェア・プラットフォーム表面２７０またはアイウェア・プラットフォーム表面の磁石２７５と結合及び連結し、前記磁石３１０，３１２が、前記レンズ２０が前記アイウェア・プラットフォーム１５から不意に外れないような実効的な抗力を提供できるようにする。この取着組合せの利点は、さまざまな平面での取着を同時に可能にすることであり、垂直軸１３５に沿っては、こめかみ部ソケットと付属部ソケットと間に磁気取着があり、水平軸１３６に沿っては、磁石３１０、３１２がアイウェア・プラットフォーム付属表面２７０またはアイウェア・プラットフォーム１５の磁石２７０と整列及び連結する。
【００７７】
１つレンズ
本発明のもう１つの実施形態では、図３１〜３２で示した実施形態が１つの統合レンズでも可能である。レンズのデザインによっては、ブリッジ部７７と鼻あて１２０が形成するスペース３３５に、補助ピース３５０を装着することが可能である。この１つレンズ構造は、図１〜３に示した磁気取着でも使用できる。
【００７８】
レンズの磁石を使用するアイウェア・プラットフォームへのレンズの取着
アイウェア・プラットフォームをレンズ２０に連結するには、ユーザーは、付属部及びこめかみ部ソケットの磁石１００、６０を垂直軸１３５にそって整列させる。こめかみ部ソケット磁石１００を付属部ソケット磁石６０に配置することによって、ユーザーは、効果的な磁気力を成就できる。このように、こめかみ部ソケット磁石１００が付属部ソケット磁石６０と整列及び連結している限り、これらの磁石１００、６０はレンズフレームとアイウェア・プラットフォームで実質的に無数の角度と位置に配置できる。この結果、磁気軸１３５は磁石の取付け角度に応じて変化する。
【００７９】
さらには、磁気連結と併用して、レンズをアイウェア・プラットフォーム１５に整列させ、レンズコネクター１９０がブリッジ部７７と鼻あて１２０が形成するスペース３３５に装着できるようにする。このようにレンズコネクター１９０がアイウェア・プラットフォーム１５のスペース３３５に結合することにより、アイウェア・プラットフォームからレンズが不意に外れるのを防ぐ抗力をさらに強化できる。
【００８０】
また、図１〜３５の実施形態では、少なくとも２つの磁石が互いに結合及び組み合わされている。しかし、本発明は、２つの磁石が結合及び組み合わされることに制限されるものではない。レンズのアイウェア・プラットフォームへの取付けは、こめかみ部のクリップ、プロング、プラグを含むがこれらに制限されない非磁気取着で成就することができ、これにブリッジ部７７と鼻あて１２０が形成するスペース３３５で形成される「クリップ」を併用しても、しなくてもよい。
【００８１】
付属部及びこめかみ部ソケットでの磁石の異なった取付け角度に加えて、アイウェア・プラットフォームに対するレンズフレームの取付けも変更できる。図１〜３及び３１〜３２では、レンズフレーム１０がアイウェア・プラットフォーム１５の下に取り付けられている。また図４〜６の実施形態では、レンズ２０がアイウェア・プラットフォーム１５の上に磁気取着で取り付けられている。
【００８２】
さらには、上記に説明したように、磁石１００及び６０の接触表面を、こめかみ部及び付属部ソケットの接触表面と異なった高さにして、凹みを形成することができる。これらの凹みは、レンズがアイウェア・プラットフォームから不意に外れてしまうのを、特に横から横にまたは水平に外れてしまうのを防ぐ抗力をさらに強化する。
【００８３】
レンズ上の磁石によるアイウェア・プラットフォームへのレンズ取着
レンズ表面上に磁石３１０と３１２を有する実施形態で、レンズ２０をアイウェア・プラットフォーム１５に取着するには、磁石３１０と３１２が、アイウェア・プラットフォーム１５のブリッジ部７７のアイウェア・プラットフォーム取着表面２７０または前記表面２７０の磁石２７５に連結、結合、接触するように配置して、水平軸１３６に沿って最大限の磁気力を成就し、前記レンズ２０が前記アイウェア・プラットフォーム１５から不意に外れないような実効的な抗力を提供する。
【００８４】
プラットフォーム・アームと付属部に磁石を有する実施形態
図３６〜３８に示す本発明のもう１つの実施形態では、磁石またはプラグのような連結デバイスがあり、これがアイウェア・プラットフォーム１５のプラットフォーム・アーム８０に直接に装着される。図３６〜３８が示すように、プラットフォーム・アーム磁石３５５があって、これはプラットフォーム・アーム８０内に位置し、直接に統合されている。
【００８５】
上記に説明した実施形態のように、アイウェア・プラットフォーム１５には、ユーザーの耳の上に載せることが可能な２つのこめかみ部延長部４０と、こめかみ部延長部４０と回転可能に連結されているブリッジ部７７とがあり、ブリッジ部７７はユーザーの鼻の上に載るので、アイウェア・プラットフォーム１５はユーザーによって着用可能である。また、ブリッジ部７７は鼻あて１２０も有してもよい。
【００８６】
アイウェア・プラットフォーム１５の端にはプラットフォーム・アーム８０があり、レンズフレーム１０の付属部３５と揃って曲がり折れ、こめかみ部延長部４０と整列して、レンズフレーム１０がアイウェア・プラットフォーム１５に適切に装着されるようにする。付属部とプラットフォーム・アーム８０は双方とも、磁石、クリップ、クラスプ、スナップ、フックそしてストラップなどの本発明のさまざまな取着デバイスを取り付けるまたは接触させる表面を提供する。
【００８７】
図３６〜３８が示すように、プラットフォーム・アーム８０はプラットフォーム・アーム磁石３５５を有し、この磁石はアイウェア・プラットフォーム１５の内部に位置し囲まれている。また、アイウェア・プラットフォーム１５はプラットフォーム接触表面３６０を有する。磁石３５５は、この接触表面３６０と接合して位置してもよい。また磁石３５５はこの接触表面３６０の上に位置して、プラットフォーム・アーム磁石３５５の第１または接触表面３６５が、プラットフォーム・アーム８０の上に１つの隆起３７０を形成するようにしてもよい。磁石３５５は、プラットフォーム・アーム接触表面３６０の下に位置して、こめかみ部ソケット凹み１１５と同じような、プラットフォーム・アーム凹み３７５を形成してもよい。この凹み３７５は、水平または横から横に外れるのを防ぐので、アイウェア・プラットフォーム１５をレンズフレーム１０にしっかり取着させるのに役立つ。また、この凹み３７５内に複数の磁石があってもよい。さらには、磁石３５５はアイウェア・プラットフォーム１５に完全に囲まれている必要はない。
【００８８】
レンズフレーム
図３６〜３８に示すように、レンズフレーム１０は、それぞれ付属部３５を有するターミナルレンズフレーム端部３０を有する。図３６に示すように、付属部３５は曲がり折れて、アイウェア・プラットフォーム１５のこめかみ部延長部４０と整列する。付属部３５はさらに付属部接触表面３８０を包含する。
【００８９】
さらに付属部は少なくとも１つの磁石６０ａを包含する。この磁石６０ａは付属部のさまざまな異なった場所に位置でき、前記磁石６０ａは磁石接触表面６５ａを有する。磁石接触表面６５ａは、付属部接触表面３８０と接合またはその上または下に位置することができる。また、付属部には複数の磁石があってもよい。さらには、磁石は付属部に囲まれる必要はないが、付属部に囲まれてもよい。
【００９０】
アイウェア・プラットフォームへのレンズフレーム取着
レンズフレーム１０をアイウェア・プラットフォーム１５に取着するには、プラットフォーム・アーム磁石３５５が付属部３５の磁石６０ａと連結するように配置する。プラットフォーム・アーム磁石３５５は付属部ソケット磁石６０ａと係合及び結合して、前記レンズフレーム１０が前記アイウェア・プラットフォーム１５から不意に外れないような実効的な抗力を提供する。図１〜６に説明した実施形態では、磁石を使用して、レンズフレーム１０をアイウェア・プラットフォーム１５に着脱自在に取着する。
【００９１】
付属部３５及びプラットフォーム・アーム８０の磁石は同じ軸１３５にそって整列する必要がある。プラットフォーム・アーム磁石３５５と付属部ソケット磁石６０を同軸にそって配置することにより、ユーザーは実効的な磁気力を達成することができる。このように、プラットフォーム・アーム磁石３５５が付属部ソケット磁石６０ａと整列及び連結している限り、これらの磁石は実質的にレンズフレームとアイウェア・プラットフォームの無数の角度と場所に位置することができる。そして、磁石軸１３５は、磁石の取付け角度に従って変化する。
【００９２】
また、少なくとも２つの磁石が互いに結合及び組み合わされている。代替では、本発明は、２つの磁石が互いに結合及び組み合わされていることだけに制限されない。このアイウェア・プラットフォームへのレンズフレームの取付けは、複数の磁石でも、またはレンズフレームかアイウェア・プラットフォームのどちらかにある１つだけの磁石でも実施することができる。単一磁石の場合は、対応する金属表面に磁気的に取着する。
【００９３】
付属部の磁石とプラットフォーム・アーム磁石の異なった取付け角度に加えて、アイウェア・プラットフォームに対するレンズフレームの取付けも変更可能で、アイウェア・プラットフォームの下または上に取り付けることができる。図１〜３では、レンズフレーム１０がアイウェア・プラットフォーム１５の下に取り付けられている。図３６〜３８では、プラットフォーム・アーム磁石３５５の第１または接触表面３６５を付属部磁石６０ａに接触させて、前記磁石３５５と６０ａの配置が、前記レンズフレーム１０が前記アイウェア・プラットフォーム１５から不意に外れないような実効的な抗力を提供するようにする。また、付属部磁石６０ａが付属部接触表面３８０の下に位置して、凹み３７５を形成し、この凹みは、水平にまたは横から横に外れることに対してより強い抗力を与える。また付属部磁石６０ａは付属部ソケット表面３８０の上に位置して、プラットフォーム・アーム磁石３５５と連結し、これはプラットフォーム・アーム接触表面３６０の下に位置して、プラットフォーム・アームに凹みを形成できる。この凹みには付属磁石６０ａが位置して、横から横にまたは水平に外れることに対してより強い抗力を提供することができる。
【００９４】
また、この磁気連結では、レンズフレーム１０がアイウェア・プラットフォーム１５に接合して安全で効果的な連結が形成され、レンズフレーム１０とアイウェア・プラットフォーム１５との間に隙間ができるのを避けることができる。
【００９５】
スナップ連結
図３９〜４７の実施形態で示したように、スナップ連結４００を使用して、レンズフレーム１０またはレンズ２０をアイウェア・プラットフォームに着脱自在に連結できる。図３９でより詳細に示すように、スナップ連結４００は２つの基本的要素から成り立っている。すなわち、（１）球または雄部分４０５及び（２）ソケットまたは雌部分４１０である。図３９〜４０では、球／雄部分４０５がレンズフレーム１０の付属部３５に位置し、ソケット／雌部分４１０はアイウェア・プラットフォーム１５のプラットフォーム・アーム８０に位置する。
【００９６】
レンズフレーム１０またはレンズ２０をアイウェア・プラットフォーム１５に連結するには、ユーザーは単に球／雄部分４０５を対応するアイウェア・プラットフォームのソケット／雌部分４１０に揃えて、軽く押して雄部分４０５を雌部分４１０に結合させ、レンズ２０またはレンズフレーム１０が、ユーザーが２つの部分を取り外したいと思うまで、アイウェア・プラットフォーム１５にしっかりと取着させる。雄部分４０５は、雌部分４１０のスペースにきっちりと装着するはずである。このスナップ連結４００は、前記レンズフレーム１０が前記アイウェア・プラットフォーム１５から不意に外れないような実効的な抗力を提供する。
【００９７】
特定フレームに応じて、このスナップ連結４００は、図１〜７、１３〜１４及び１７〜３８に示した磁石などの他取着デバイスの代りに使用することができる。またこのスナップ連結４００は、磁石（図１〜２４、２６〜３９参照）、クリップ（図２５参照）、ストラップ、クラスプ、またはその他の連結デバイスを併用して、レンズ２０またはレンズフレーム１０をアイウェア・プラットフォーム１５に連結することができる。
【００９８】
代替では、球／雄部分４０５がアイウェア・プラットフォーム１５に、そしてソケット／雌部分４１０はレンズフレーム１０またはレンズ２０の付属部に位置できる。雄部分４０５がレンズフレーム１０またはレンズ２０の付属部にある場合の主な利点は、雄部分４０５が脱落または破損した場合に、ユーザーは、雄部分４０５が適切に機能している他のレンズ２０またはレンズフレーム１０に交換して、アイウェア・プラットフォーム１５を継続して使用できることである。本発明では、ユーザーが、アイウェア・プラットフォーム１５からレンズ２０またはレンズフレーム１０を簡単に取り外すことができるので、ユーザーは、さまざまな色、色合い、上塗りそして表面のある、異なった種類のレンズを使用できる。
【００９９】
雄部分４０５は球または円形に限らないことに留意されたい。重要なことは、雄部分４０５は、雄部分４０５が雌部分４１０にしっかりと連結できる形であることで、ユーザーがレンズ２０またはレンズフレーム１０を取り外すまで、レンズ２０またはレンズフレーム１０がアイウェア・プラットフォーム１５に取着していることである。雄部分４０５を嵌め入れるか押し込んで、雌部分４１０と強固で安全な接触を形成する。他の可能な形は楕円形である。雄部分４０５の形がどうであれ、雄部分４０５は雌部分４１０のスペースにしっかりと装着できなければならないが、ユーザーがレンズ２０またはレンズフレーム１０をアイウェア・プラットフォーム１５から取り外す際には、簡単に外すことができる装着でなければならない。
【０１００】
ソケットでのスナップ連結
もう１つの実施形態では、図１〜６でのように磁石６０、１００を使用する代りに、スナップ連結４００を使用して、レンズフレーム１０をアイウェア・プラットフォーム１５に取着できる。図４１〜４２に示すように、スナップ連結は付属部ソケット４５及びこめかみ部ソケット８５に所在する。雄部分４０５は付属部ソケット４５に位置して、こめかみ部ソケット８５の雌部分４１０と整列する。雄と雌の部分は入れ替え可能なことに留意されたい。またこのスナップ連結４００は、レンズフレーム１０が、図１〜３のようにアイウェア・プラットフォーム１５の下に、または図４〜６のようにアイウェア・プラットフォーム１５の上に取り付けられている場合にも、使用できることにも留意されたい。
【０１０１】
アイウェア・プラットフォームとレンズフレームのスナップ連結
もう１つの実施形態では、レンズフレーム１０をアイウェア・プラットフォーム１５に取着するのに、図１７と１８でのように磁石２７５、２８５を使用する代りに、スナップ連結４００を使用してもよい。雄部分４０５はレンズフレーム接触表面２８０に、そして対応する雌部分４１０はプラットフォーム接触表面２７０に位置する。上記に説明したように、雄と雌の部分は入替えできる。また、レンズフレーム１０をアイウェア・プラットフォーム１５にしっかり固定する、複数のスナップ連結があってもよい。例えば図１７では、連結表面２７０と２８０に４つの取着磁石がある。同様に、複数のスナップ連結を使用して、レンズフレーム１０をアイウェア・プラットフォーム１５に安全に連結することができる。
【０１０２】
もう１つの実施形態では、図３６でのように磁石を使用する代りに、スナップ連結４００を使用してレンズフレーム１０をアイウェア・プラットフォーム１５に取着できる。例えば、雄部分４０５は付属部３５に位置して、アイウェア・プラットフォーム１５のプラットフォーム・アーム８０に位置する対応雌部分４１０に整列して連結する。上記に説明したその他のスナップ連結の場合と同じように、雄と雌の部分は入替できる。
【０１０３】
ノーズブリッジでのスナップ連結
図４３に示すもう１つの実施形態では、スナップ連結４００はノーズブリッジ１７５に位置できる。雄部分４０５はレンズコネクター１９０に、そして対応する雌部分４１０はアイウェア・プラットフォーム１５のブリッジ部７７の中央または中心点に位置する。上記に説明したその他のスナップ連結の場合と同じように、雄と雌の部分は入替できる。ノーズブリッジ１７５のスナップ連結４００は、アイウェア・プラットフォーム１５のブリッジ部７７の中央近くまたは中心点にある。
【０１０４】
このノーズブリッジ１７５のスナップ連結４００は単独でも使用できるが、図３９〜４０でのようにレンズフレームの端部３０及びアイウェア・プラットフォーム１５の端部のスナップ連結４００と併用してもよいし、または磁石、クリップまたはプロングなどのその他連結デバイスと併用してもよい。また、ノーズブリッジ１７５に、またはその近くに、このスナップ連結４００が複数存在してもよい。
【０１０５】
着脱自在レンズとのスナップ連結
もう１つの実施形態では、図３１〜３５でのように磁石６０、１００を使用する代りに、スナップ連結４００を使用してレンズフレーム１０をアイウェア・プラットフォーム１５に取着できる。雄部分４０５は付属部３５に所在し、こめかみ部ソケット４５に所在する雌部分４１０と整列して結合し、しっかりと取着する。図４１〜４２では、このスナップ連結の詳細が示されている。上記と同じように、雄と雌部分の場所は入替できる。
【０１０６】
もう１つの実施形態では、スナップ連結を使用して、レンズ２０をアイウェア・プラットフォーム１５に取着できる。図４４のように、雄部分４０５はレンズの付属部３５に位置し、アイウェア・プラットフォーム１５のブリッジ部７７の内部または第２表面７９に位置する雌部分４１０と整列する。ブリッジ部７７は第１または外部表面７８及び第２または内部表面７９を有する。また、レンズ連結部１９０にスナップ連結４００があって、ブリッジ部７７の第２表面７９と整列し、しっかりと結合及び連結してもよい。
【０１０７】
プラットフォーム・アーム終端部でのスナップ連結または磁石
図４５のように、スナップ連結４００のもう１つの実施形態がある。雄部分４０５はレンズフレーム１０の付属部終端部４１５に位置する。この雄部分４０５は、付属部３５なしで、直接にレンズフレーム１０に取着できる。雌部分４１０はプラットフォーム終端部４２０に位置する。レンズフレーム１０をアイウェア・プラットフォーム１５に取着するには、ユーザーは、雄部分４０５を対応する雌部分４１０に整列して、雄部分４０５を雌部分４１０に嵌め入れて安全な連結を形成するが、この連結は、レンズフレームがアイウェア・プラットフォームから不意に外れないような実効的な抗力を提供する。レンズフレーム１０および／またはアイウェア・プラットフォーム１５が充分な度合いの柔軟性を提供するので、ユーザーは、レンズフレーム１０をアイウェア・プラットフォーム１５の内部に簡単に嵌め入れて、しっかりした実効的な装着を形成できる。
【０１０８】
上記に説明した他の実施形態と同じように雄と雌の部分は入替できるので、雄部分４０５がプラットフォーム・アーム終端部４２０に位置して、対応する雌部分４１０が付属部終端部４２０に位置してもよい。また、図４５で示すこの特定のスナップ連結４００は、図３１と３３で示すレンズ２０での実施形態でも使用できる。
【０１０９】
また、図４５で示すこのスナップ連結４００を使用する代りに、本発明では、磁石でレンズフレーム１０またはレンズ２０をアイウェア・プラットフォーム１５に連結することも可能である。磁石は、プラットフォーム・アーム終端部４２０と付属部終端部４１５の対応部分の一方または両方に位置することができる。
【０１１０】
プラットフォーム・アームの内部でのスナップ連結または磁石
図４６では、もう１つのスナップ取着４００の実施形態を示している。雄部分４０５はレンズフレーム１０の付属部外部表面４２５に位置し、雌部分４１０はプラットフォーム・アーム内部表面４４０に位置する。図４６では、付属部３５は対応するプラットフォーム・アーム８０の上に装着される。しかし、もう１つの実施形態では、付属３５は対応するプラットフォーム・アーム８０の下に装着される。レンズフレーム１０をアイウェア・プラットフォーム１５に連結するには、ユーザーは、雄部分４０５を対応する雌部分４１０に整列し、雄部分４０５を対応する雌部分４１０に嵌め入れてしっかりした連結を形成するが、この連結は、アイウェア・プラットフォームからレンズフレームが不意に外れないような実効的な抗力を提供する。レンズフレーム１０および／またはアイウェア・プラットフォーム１５には充分な度合いの柔軟性があるので、ユーザーは、レンズフレーム１０をアイウェア・プラットフォーム１５の内に簡単に嵌め入れて、しっかりした実効的な装着を形成できる。
【０１１１】
上記に説明した他の実施形態と同じように、雄と雌の部分は入れ替えできるので、雄部分４０５はプラットフォーム・アーム内部表面４４０に、また対応する雌部分４１０は付属部外部表面４２５に位置してもよい。また、図４６に示すこのスナップ連結４００は、レンズ２０の実施形態でも使用できるが、この場合、レンズは図３１と３３に示すようにレンズコネクター１９０で連結される。
【０１１２】
また、図４６で示したようにスナップ連結４００を使用する代りに、本発明では、磁石でレンズフレーム１０またはレンズ２０をアイウェア・プラットフォーム１５に取着することが可能である。磁石は、プラットフォーム内部表面４４０と付属部外部表面４２５の対応部分の一方または両方に位置することができる。
【０１１３】
図４７のように、雄部分４０５は付属部内部表面４３０に、そして対応する雌部分４１０はプラットフォーム外部表面４３５に位置してもよい。レンズフレーム１０をアイウェア・プラットフォーム１５に連結するには、ユーザーは、雄部分４０５を対応する雌部分４１０と整列し、雄部分４０５を対応する雌部分４１０に嵌め入れてしっかりした連結を形成するが、この連結はアイウェア・プラットフォームからレンズフレームが不意に外れないように実効的な抗力を提供する。レンズフレーム１０および／またはアイウェア・プラットフォーム１５には充分な度合いの柔軟性があるので、ユーザーは、レンズフレーム１０をアイウェア・プラットフォーム１５の内に簡単に嵌め入れて、しっかりとした効果的な装着を形成できる。また、特定デザインに応じて、このスナップ連結または磁石連結は、レンズフレーム１０またはレンズ２０が、アイウェア・プラットフォーム１５のブリッジ部７７の形を模することを可能にする。
【０１１４】
上記に説明した他の実施形態と同じように、雄と雌の部分は入替することができるので、雄部分４０５はプラットフォーム・アーム外部表面４３５に、そして対応する雌部分４１０は付属部内部表面４３０に位置してもよい。またこのスナップ連結４００はレンズ２０の実施形態でも使用できるが、この場合、レンズは図３１と３３で示すようにレンズコネクター１９０で連結されている。
【０１１５】
また、図４７のこのスナップ連結４００を使用する代りに、本発明では、磁石でレンズフレーム１０またはレンズ２０をアイウェア・プラットフォーム１５に取着することも可能である。磁石は、プラットフォーム外部表面４３５と付属部内部表面４３０の対応部分の一方または両方に位置することができる。
【０１１６】
本発明は、その好ましい実施形態との関連で説明したが、本発明はこれらの実施形態に制限されるものではないことは理解されるべきである。その反対に、付属する請求項によって定義されている本発明の趣旨と範囲内に含まれるすべての代替、修正、相当物を含むものである。
【図面の簡単な説明】
【０１１７】
【図１】図１は、出願者の着脱自在レンズフレームとアイウェア・プラットフォームに関する最初の実施例の分解組立て図で、ここではレンズフレームがアイウェア・プラットフォームの下に取り付けられている。
【図２】図２は、図１の実施例の側面図である。
【図３】図３は、本発明のもう１つの実施例の側面図で、ここでは付属部ソケット磁石がこめかみ部ソケットの凹み内部に部分的に装着している。
【図４】図４は、出願者の着脱自在なレンズフレームとアイウェア・プラットフォームに関するもう１つの実施例の分解組立て図で、ここではレンズフレームがアイウェア・プラットフォームの上から取り付けられている。
【図５】図５は、図３の実施例の側面図である。
【図６】図６は、本発明のもう１つの実施例の側面図で、ここでは付属部ソケット磁石の第２接触表面が、こめかみ部ソケットの凹み内部で、こめかみ部ソケット磁石の第１接触表面に接触する。
【図７】図７は、本発明のもう１つの実施例の分解組立て図で、ここではこめかみ部ソケットと付属部ソケットが垂直方向に整列する。
【図８】図８は、本発明のもう１つの実施例の分解組立て図で、ここでは付属部プロングが垂直方向に整列したこめかみ部ソケットと整列して接触する。
【図９】図９は、本発明のもう１つの実施例の分解組立て図で、ここではプロング型のこめかみ部ソケットが、垂直方向に整列した付属部ソケットと整列して接触する。
【図１０】図１０は、図９のプラットフォーム・アームプロングのクローズアップ図である。
【図１１】図１１は、アイウェア・プラットフォームのこめかみ部ソケットに取り付けられる、レンズフレームに水平方向に取り付けられた付属部プロングの分解組立て図である。
【図１２】図１２は、図１１の水平方向に取り付けられた付属部プロングの側面図である。
【図１３】図１３は、ノーズブリッジでアイウェア・プラットフォームの上に「トップ取付け」されているレンズフレームの側面図である。
【図１４】図１３は、ノーズブリッジでアイウェア・プラットフォームの上に「ボトム取付け」されているレンズフレームの側面図である。
【図１５】図１５は、レンズフレームの中央部に連結するアイウェア・プラットフォームのＵ型取着の側面図である。
【図１６】図１６は、アイウェア・プラットフォームの中央部に連結するレンズフレームのＵ型取着の側面図である。
【図１７】図１７は、本発明のもう１つの実施形態の分解組立て図で、ここではレンズフレームは磁石を使用してアイウェア・プラットフォームに着脱自在に取着される。
【図１８】図１８は、図１７の実施例の側面図である。
【図１９】図１９は、本発明のもう１つの実施形態の分解組立て図で、ここではレンズフレームは磁石を使用してアイウェア・プラットフォームの上に着脱自在に取着される。
【図２０】図２０は、図１９の実施例の側面図である。
【図２１】図２１は、図１７のもう１つの実施例の側面図である。
【図２２】図２２は、本発明のもう１つの実施形態の側面図で、ここではアイウェアブリッジは磁石でレンズフレームの上から着脱自在に取着される。
【図２３】図２３は、本発明のもう１つの実施形態の側面図で、ここではレンズフレームが複数の磁石を使用してアイウェア・プラットフォームの下側に着脱自在に取着される。
【図２４】図２４は、本発明のもう１つの実施形態の側面図で、ここではレンズフレームが複数の磁石を使用してアイウェア・プラットフォームの下側に着脱自在に取着される。
【図２５】図２５は、本発明のもう１つの実施形態の分解組立て図で、ここではレンズフレームは、磁石なしで、クリップでアイウェア・プラットフォームに着脱自在に取着される。
【図２６】図２６は、本発明のもう１つの実施形態の分解組立て図で、ここではレンズフレームはプラグとチャンネル連結デバイスでアイウェア・プラットフォームに着脱自在に取着される。
【図２７】図２７は、本発明のもう１つの実施形態の側面図で、ここではレンズフレームは磁石を使用してアイウェア・プラットフォームに着脱自在に取着される。
【図２８】図２８は、本発明のもう１つの実施形態の側面図で、ここではレンズフレームは磁石を使用してアイウェア・プラットフォームに着脱自在に取着される。
【図２９】図２９は、本発明のもう１つの実施形態の側面図で、ここでは磁石を使用して、レンズフレームはアイウェアブリッジの上を通ってアイウェア・プラットフォームに着脱自在に取着する。
【図３０】図３０は、本発明のもう１つの実施形態の側面図で、ここでは磁石を使用して、レンズフレームはアイウェアブリッジの下を通ってアイウェア・プラットフォームに着脱自在に取着する。
【図３１】図３１は、本発明のもう１つの実施形態の側面図で、ここではレンズフレームはアイウェア・プラットフォームのブリッジの背後に装着される。
【図３２】図３２は、図３１で示す実施形態の側面図である。
【図３３】図３３は、本発明のもう１つの実施形態の側面図で、ここではレンズは、アイウェア・プラットフォームの背後そして鼻あてとレンズコネクターで形成されるスペースの内部に位置する。
【図３４】図３４は、図３３の実施形態の側面図である。
【図３５】図３５は、図３３のもう１つの実施形態の側面図で、こめかみ部ソケット磁石がこめかみ部ソケット表面の上の高さに位置している。
【図３６】図３６は、本発明のもう１つの実施形態で、ここでは磁石は直接にプラットフォーム・アームと付属部の中に位置する。
【図３７】図３７は、図３６の実施形態の側面図である。
【図３８】図３８は、図３６のもう１つの実施形態の側面図である。
【図３９】図３９は、スナップ連結でアイウェア・プラットフォームに着脱自在に取着するレンズフレームの側面および部分的断面図である。
【図４０】図４０は、図３９の実施形態の分解組立て図である。
【図４１】図４１は、スナップ連結でアイウェア・プラットフォームに上から着脱自在に取着するレンズフレームの側面および部分的断面図である。
【図４２】図４２は、スナップ連結でアイウェア・プラットフォームに下から着脱自在に取着するレンズフレームの側面および部分的断面の図である。
【図４３】図４３は、図４０の実施形態にノーズブリッジでのスナップ連結を追加した分解組立て図である。
【図４４】図４４は、スナップ連結のもう１つの実施形態の分解組立て図で、ここではレンズはアイウェア・プラットフォームのブリッジ部の背後に位置して連結する。
【図４５】図４５は、スナップ連結のもう１つの実施形態の分解組立て図で、ここでは雄部分は付属部終端部に位置し、雌部分はプラットフォーム・アーム終端部に位置する。
【図４６】図４６は、スナップ連結のもう１つの実施形態の分解組立て図で、ここでは雄部分は、付属部の外側部分に位置し、雌部分はプラットフォーム・アームの内側部分に位置する。
【図４７】図４７は、スナップ連結のもう１つの実施形態の分解組立て図で、ここでは雄部分は、付属部の内部表面に位置し、雌部分はプラットフォーム・アームの外部表面に位置する。
【図１】
2005508524.tif 000003
【図２】
2005508524.tif 000004
【図３】
2005508524.tif 000005
【図４】
2005508524.tif 000006
【図５】
2005508524.tif 000007
【図６】
2005508524.tif 000008
【図７】
2005508524.tif 000009
【図８】
2005508524.tif 000010
【図９】
2005508524.tif 000011
【図１０】
2005508524.tif 000012
【図１１】
2005508524.tif 000013
【図１２】
2005508524.tif 000014
【図１３】
2005508524.tif 000015
【図１４】
2005508524.tif 000016
【図１５】
2005508524.tif 000017
【図１６】
2005508524.tif 000018
【図１７】
2005508524.tif 000019
【図１８】
2005508524.tif 000020
【図１９】
2005508524.tif 000021
【図２０】
2005508524.tif 000022
【図２１】
2005508524.tif 000023
【図２２】
2005508524.tif 000024
【図２３】
2005508524.tif 000025
【図２４】
2005508524.tif 000026
【図２５】
2005508524.tif 000027
【図２６】
2005508524.tif 000028
【図２７】
2005508524.tif 000029
【図２８】
2005508524.tif 000030
【図２９】
2005508524.tif 000031
【図３０】
2005508524.tif 000032
【図３１】
2005508524.tif 000033
【図３２】
2005508524.tif 000034
【図３３】
2005508524.tif 000035
【図３４】
2005508524.tif 000036
【図３５】
2005508524.tif 000037
【図３６】
2005508524.tif 000038
【図３７】
2005508524.tif 000039
【図３８】
2005508524.tif 000040
【図３９】
2005508524.tif 000041
【図４０】
2005508524.tif 000042
【図４１】
2005508524.tif 000043
【図４２】
2005508524.tif 000044
【図４３】
2005508524.tif 000045
【図４４】
2005508524.tif 000046
【図４５】
2005508524.tif 000047
【図４６】
2005508524.tif 000048
【図４７】
2005508524.tif 000049
【国際公開パンフレット】
2005508524.tif 000050
2005508524.tif 000051
2005508524.tif 000052
2005508524.tif 000053
2005508524.tif 000054
2005508524.tif 000055
2005508524.tif 000056
2005508524.tif 000057
2005508524.tif 000058
2005508524.tif 000059
2005508524.tif 000060
2005508524.tif 000061
2005508524.tif 000062
2005508524.tif 000063
2005508524.tif 000064
2005508524.tif 000065
2005508524.tif 000066
2005508524.tif 000067
2005508524.tif 000068
2005508524.tif 000069
2005508524.tif 000070
2005508524.tif 000071
2005508524.tif 000072
2005508524.tif 000073
2005508524.tif 000074
2005508524.tif 000075
2005508524.tif 000076
2005508524.tif 000077
2005508524.tif 000078
2005508524.tif 000079
2005508524.tif 000080
2005508524.tif 000081
2005508524.tif 000082
2005508524.tif 000083
2005508524.tif 000084
2005508524.tif 000085
2005508524.tif 000086
2005508524.tif 000087
2005508524.tif 000088
2005508524.tif 000089
2005508524.tif 000090
2005508524.tif 000091
2005508524.tif 000092
2005508524.tif 000093
2005508524.tif 000094
2005508524.tif 000095
2005508524.tif 000096
2005508524.tif 000097
2005508524.tif 000098
2005508524.tif 000099
2005508524.tif 000100
2005508524.tif 000101
2005508524.tif 000102
2005508524.tif 000103
2005508524.tif 000104
2005508524.tif 000105
2005508524.tif 000106
2005508524.tif 000107
2005508524.tif 000108
【国際公開パンフレット（コレクトバージョン）】
2005508524.tif 000109
【国際調査報告】
2005508524.tif 000110